(57)【要約】【課題】簡易な構造でありながら、衝立パネルを強固に固定保持できるキッチンカウンター用衝立パネルの取付構造を提供する。【解決手段】カウンター２上面に固定された支柱部材４により衝立パネル５の下端部５ａを部分的に支持してカウンター上面に上記衝立パネルを立設させたキッチン用スクリーン１０であって、上記支柱部材４は、互いに対峙して上記衝立パネルの下端部を挟持するよう分割された一対の台座部材４０および挟込部材４１から構成され上記カウンター上面に固定された台座部材に対して上記挟込部材を締結して上記衝立パネルの下端部を挟持することで、空隙ｄをパネル下に有した状態で衝立パネルを立設させたことを特徴とする。【選択図】図１
2010011953.tif 000002
【特許請求の範囲】
【請求項１】
カウンター上面に固定された支柱部材により衝立パネルの下端部を部分的に支持してカウンター上面に上記衝立パネルを立設させたキッチン用スクリーンであって、
上記支柱部材は、互いに対峙して上記衝立パネルの下端部を挟持するよう分割された一対の台座部材および挟込部材から構成され、
上記台座部材および上記挟込部材の少なくとも一方は、上記衝立パネルが載置される支持段部を有するとともに、上記台座部材および上記挟込部材は該支持段部の位置より上位に立ち上がり上記衝立パネルの下端部側面を挟み込む挟込部と、上記支持段部の下位に位置して上記台座部材および挟込部材が締結されるとともに上記支持段部に載置した上記衝立パネルと上記カウンター上面との間に少なくとも手指が入る空隙を確保する脚部と、をそれぞれ備え、
上記カウンター上面に固定された上記台座部材に対して上記挟込部材を締結して上記衝立パネルの下端部を挟持することで、上記空隙をパネル下に有した状態で衝立パネルを立設させたことを特徴とするキッチン用スクリーン。
【請求項２】
請求項１において、
上記台座部材の底部には上記カウンター上面に当接する固定基部が設けられ、該固定基部は平面視における衝立パネルの厚み幅の中心位置にて上記カウンターに対して締結部材によって上記カウンター上面に固定されることを特徴とするキッチン用スクリーン。
【請求項３】
請求項１又は請求項２において、
上記台座部材および上記挟込部材における上記脚部は分割接合面において凹凸嵌合されることを特徴とするキッチン用スクリーン。
【請求項４】
請求項１〜３のいずれか１項において、
上記台座部材および上記挟込部材の少なくともいずれか一方には、上記支持段部の一部が水平方向に突出して形成されており、対峙する他方の上記台座部材或いは上記挟込部材側に部分的に入り込むよう構成されていることを特徴とするキッチン用スクリーン。
【発明の詳細な説明】
【技術分野】
【０００１】
本発明は、カウンター上面に固定された支柱部材により衝立パネルの下端部を部分的に支持してカウンター上面に上記衝立パネルを立設させたキッチン用スクリーンに関する。
【背景技術】
【０００２】
コンロなどの調理部において調理中に生じる油はね或いはシンク部で食器などを洗うときに生じる水はねなどで、ダイニング側或いはリビング側が汚れないよう、カウンターの上面に衝立パネルが設けられたものがある。このような衝立パネルは、近年、キッチンとダイニング、或いはキッチンとリビングの間に仕切り壁がないオープンキッチンに設置される対面型のカウンターに広く採用されている。
【０００３】
下記特許文献１には、衝立パネルの両端部に設けられた支柱部材によって、固定支持されたキッチン用スクリーンが開示されており、該キッチン用スクリーンは、衝立パネルの下端とカウンターの上面との間に空隙が確保されるように設けられている。
これによれば、カウンターの上面に段差を設けなくても、衝立パネルによってコンロやシンクをダイニング側から確実にガードすることができるとされている。また衝立パネルの下端とカウンターの上面との間に隙間があるので、清掃性を向上させることができるとされている。
【特許文献１】特許第３６５８３５２号公報
【発明の開示】
【発明が解決しようとする課題】
【０００４】
上記特許文献１に記載のものは、支柱部材（取付棒）の一部分を軸方向に沿って切り欠くことで、ステンレス製からなる衝立パネルの固定面を形成し、該固定面に衝立パネルを面接触させた状態で溶接することにより衝立パネルが支柱部材に固定保持されているものである。よってこのように衝立パネルが支柱部材に溶接できるものであれば、強固に取付けることができるが、ガラス板など硬質の素材からなる衝立パネルの場合は、この取付構造を採用することはできなかった。
【０００５】
カウンターの上面に立設される衝立パネルとしてはガラス板など硬質のものが清掃性がよい、よく用いられるが、凹部を備えた支柱部材の凹部に衝立パネルを嵌め込むだけではぐらついてしまう上、衝立パネルが簡単に外れてしまう。またカウンターの上面に衝立パネルを立設させる構造としては、スクリーンの設置スペースをできるだけコンパクトにするため、衝立パネルの両側部に支柱部材を配置するのではなく、衝立パネルの下端部を部分的に支持するものが好ましい。
そこで支柱部材自体の構造が容易なものでありながら、カウンター上面への施工性に優れ、衝立パネルをしっかり挟み込み、カウンターの上面に対して垂直に立設させたキッチン用スクリーンが求められている。
【０００６】
本発明は上記課題を解決するためになされたものであり、清掃性、施工性に優れ、衝立パネルが強固に固定保持されたキッチン用スクリーンを提供することを目的としている。
【課題を解決するための手段】
【０００７】
上記目的を達成するために本発明のキッチン用スクリーンは、カウンター上面に固定された支柱部材により衝立パネルの下端部を部分的に支持してカウンター上面に上記衝立パネルを立設させたキッチン用スクリーンであって、
上記支柱部材は、互いに対峙して上記衝立パネルの下端部を挟持するよう分割された一対の台座部材および挟込部材から構成され、
上記台座部材および上記挟込部材の少なくとも一方は、上記衝立パネルが載置される支持段部を有するとともに、上記台座部材および上記挟込部材は該支持段部の位置より上位に立ち上がり上記衝立パネルの下端部側面を挟み込む挟込部と、上記支持段部の下位に位置して上記台座部材および挟込部材が締結されるとともに上記支持段部に載置した上記衝立パネルと上記カウンター上面との間に少なくとも手指が入る空隙を確保する脚部と、をそれぞれ備え、
上記カウンター上面に固定された上記台座部材に対して上記挟込部材を締結して上記衝立パネルの下端部を挟持することで、上記空隙をパネル下に有した状態で衝立パネルを立設させたことを特徴としている。
衝立パネルとしては、ガラス板、合成樹脂板など硬質の板体が採用される。
【０００８】
本発明において、台座部材の底部には上記カウンター上面に当接する固定基部が設けられ、該固定基部は平面視における衝立パネルの厚み幅の中心位置にて上記カウンターに対して締結部材によって上記カウンター上面に固定されるものとしてもよい。また台座部材および上記挟込部材における上記脚部は分割接合面において凹凸嵌合されるものとしてもよい。更に上記台座部材および上記挟込部材の少なくともいずれか一方には、上記支持段部の一部が水平方向に突出して形成されており、対峙する他方の上記台座部材或いは上記挟込部材側に部分的に入り込むよう構成されているものとしてもよい。
【発明の効果】
【０００９】
本発明のキッチン用スクリーンによれば、衝立パネル下に手指が入る状態で衝立パネルを立設させているので、衝立パネルの下回りに容易に手を入れて清掃することができ、清掃性がよい。
また衝立パネルの下端部を部分的に支持する構造なのでスクリーン全体がコンパクトに構成できる。
【発明を実施するための最良の形態】
【００１０】
以下、図とともに本発明の実施の形態について説明する。
図１は本発明のキッチン用スクリーンが採用されたカウンターの全体斜視図、図２は同キッチン用スクリーンの拡大斜視図、図３（ａ）〜（ｃ）は同キッチン用スクリーンに採用される支柱部材を示す斜視図、図４は図２におけるＸ−Ｘ線矢視断面図、図５は図３におけるＹ−Ｙ線矢視断面図、図６は本発明のキッチン用スクリーンの変形例であり、図４と同様図、図７（ａ）〜（ｃ）は本発明の別の実施形態におけるキッチン用スクリーンに採用される支柱部材を示す斜視図、図８は図７に示す本発明の別の実施形態における図４と同様図である。
【００１１】
まずは図１〜図５を参照しながら、本発明のキッチン用スクリーン１０について説明する。
ここに示すキッチンカウンター１は縦長の直方体からなるＩ型の対面式のものを示しており、該カウンター１は、キッチンの床面に設置されている。
キッチンカウンター１は、カウンター部２とキャビネット部３とを備えていおり、カウンター部２の上面には、衝立パネル５を支柱部材４によって立設させたキッチン用スクリーン１０が設けられている。
カウンター部２には、野菜や食器、フキンなどを洗ったりするための水栓２１を備えたシンク２２と、食材を調理するためのＩＨヒータで構成された加熱調理器２３とが設けられている。
ここでは加熱調理器２３として平行に並んだ３口のＩＨヒータを図示しているが、２口であってもよく、またガスコンロであってもよい。
【００１２】
カウンター部２及びシンク２２は、人造大理石などからなり、カウンター部２の上面は、略平坦に形成されている。加熱機器２３の後方側には、調理する際に生じる油はねなどを防止するため、支柱部材４によって衝立パネル５を固定保持されている。該衝立パネル５は油はねなどを防止するだけなく、キッチンカウンター１がオープンな空間に設置されているので、キッチン側とダイニング側、或いはキッチン側とリビング側を仕切るパーティション的な役割も担っている。
キャビネット部３には、引出式或いは扉式とした収納部が設けられており、調理器具や調味料などの収納空間として使用される。
【００１３】
キッチン用スクリーン１０を構成する衝立パネル５は、ガラス製、金属製、樹脂製などからなる板状のものが用いられ、図例のものは、縦長の長方形からなるガラス製の衝立パネル５を示している。
衝立パネル５は、カウンター２の上面に固定された支柱部材４によって衝立パネル５の下端部５ａが部分的に支持され（図例のものは２点支持）、カウンター部２の上面に対して垂直に立設されている。
【００１４】
衝立パネル５を支持する支柱部材４は、金属製、樹脂製などからなり、互いに対峙して衝立パネル５の下端部５ａを挟持するよう分割された一対の台座部材４０及び挟込部材４１から構成されている。
支持部材４は、台座部材４０ｄ、挟込部材４１ｄを突き合わせ、対峙させた状態で略円柱形状をなし、衝立パネル５の下端部５ａを部分的に支持するため、衝立パネル５の両端部付近にそれぞれ１つずつ、計２つの支持部材４が設けられている。
【００１５】
台座部材４０は、図３（ａ）に示すように、衝立パネル５が載置される支持段部４０ａと、該支持段部４０ａの位置より上位に立ち上がり、衝立パネル５の下端部５ａを挟み込む挟込部４０ｂと、支持段部４０ａの下位に位置して後記する挟込部材４１と締結されるとともに、支持段部４０ａに載置した衝立パネル５とカウンター２の上面との間に少なくとも手指が入る空隙ｄ（図２参照）を確保する脚部４０ｃと、カウンター２の上面に当接され、締結部材７によってカウンター２の上面に固定される固定基部４０ｅとを備えている。
【００１６】
脚部４０ｃには台座部材４０と挟込部材４１とを締結するための締結具６（ボルト）が螺入される締結孔６ａが形成されており、該締結孔６ａに連なって更に筒状の第１の螺合部６０が形成されている。第１の螺合部６０内には、締結具６と螺合するための溝が形成されている。
台座部材４０の底部に形成される円板状の固定基部４０ｅには、複数の孔が形成されている。図５に示すように、固定基部４０ｅには、平面視における衝立パネル５の厚み幅の中心位置Ｌにてカウンター２の上面に対して、固定基部４０ｅが固定されるよう貫通孔７ａが形成されており、該貫通孔７ａに締結部材７（ねじ）が螺入される。そして貫通孔７ａの周りには、補助的に設けられた３つの取付孔７ｂが形成されている（図３（ａ）参照）。
このように、固定基部４０ｅが平面視における衝立パネル５の厚み幅の中心位置Ｌにて締結部材７によって固定されるよう貫通孔７ａが形成されていれば、衝立パネル５が所定位置となるよう支柱部材４の位置決めを行う作業が容易となり、施工性に優れたものとすることができる。
【００１７】
挟込部材４１は、図３（ｂ）に示すように、衝立パネル５が載置される支持段部４１ａと、該支持段部４１ａの位置より上位に立ち上がり、衝立パネル５の下端部５ａを挟み込む挟込部４１ｂと、支持段部４１ａの下位に位置して上記台座部材４０と締結されるとともに、支持段部４１ａに載置した衝立パネル５とカウンター２の上面との間に少なくとも手指が入る空隙ｄ（図２参照）を確保する脚部４１ｃとを備えている。
【００１８】
脚部４１ｃには第１の螺合部６０に対峙するように同様に筒状の第２の螺合部６１が形成されている。第２の螺合部６１内も第１の螺合部６０と同様に第２の螺合部６１に至った締結具６と螺合するための溝が形成されている。
【００１９】
台座部材４０及び挟込部材４１を互いに対峙し、接合状態となる脚部４０ｃ、４１ｃの分割接合面４０ｄ、４１ｄは、接合した際に凹凸嵌合されるよう形成されている。図３（ａ）及び図５に示すように、台座部材４０の分割接合面４０ｄは、その外周面に挟込部材４１の分割接合面４１ｄが受容されるように段部が形成されており、分割接合面４０ｄ、４１ｄを互いに接合されたときに、いわゆる印籠式嵌合状態となる。このような嵌合関係とすれば、台座部材４０および挟込部材４１の締結強度が向上するとともに、寸法公差などにより、分割接合面４０ｄ、４１ｄ間に隙間が生じても、横方向からみて素通しとならず、埃等が入りにくく、意匠性にも優れたものとすることができる。
尚、分割接合面４０ｄ、４１ｄの構造は、図例のものに限定されず、後記する図７、図８のように突き合わせて接合されるものとすることもできる。
【００２０】
次に、図３（ａ）〜（ｃ）、図４を参照しながら、キッチン用スクリーン１０の取付要領の一例を説明する。
ここで図３（ａ）〜（ｃ）は主に支持部材４の構造を示した斜視図であり、図３（ａ）は台座部材４０の構造、図３（ｂ）は挟込部材４１の構造、図３（ｃ）は衝立パネル５を挟持した状態の支柱部材４を示している。
まずカウンター２の上面の所定位置にドリルなどで締結部材７を挿入させる穴２ａを２箇所に形成する。カウンター２の下面には木製の桟材２０が配設されている。
穴２ａと固定基部４０ｅに設けられた貫通孔７ａが挿通するよう台座部材４０を配置し、締結部材７を貫通孔７ａ、穴２ａを通じて桟材２０まで至るまでねじこんでいく。
【００２１】
これにより台座部材４０が強固にカウンター２の上面に固定される（図３（ａ）参照）。
このとき、更に強固に固定した場合は、取付孔７ｂにも締結部材をねじ込めばよい。
また上述したように、固定基部４０ｅが平面視における衝立パネル５の厚み幅の中心位置Ｌにて締結部材７によって固定されるよう貫通孔７ａが形成されたものとすれば、ドリルで穴２ａを形成する場合にも衝立パネル５の中心位置Ｌとなる場所上に穴２ａを形成すればよいので、位置決めがし易く、施工性に優れたものとすることができる。
【００２２】
次に、挟込部材４１を台座部材４０に対峙するように接合させる（図３（ａ）および図３（ｂ）の矢印ａ方向参照）。そして分割接合面４０ｄ、４１ｄを嵌合状態にした後、衝立パネル５を支持段部４０ａ、４１ａに載置し仮保持された状態とする。その後、締結孔６ａから締結具６を挿入し、締結具６によって台座部材４０と挟込部材４１とを締結していく（図３（ｃ）矢印方向参照）。
締結具６は第１の螺合部６０を通じた後、第２の螺合部６１に至り、それぞれの内方に形成された溝と螺合し、台座部材４０および挟込部材４１を強固に締結一体となると、挟込部４０ｂ、４１ｂで挟み込まれる衝立パネル５が締付固定される。
【００２３】
よって、衝立パネル５がぐらつくことなく、支柱部材４によってしっかり支持される。また衝立パネル５の下に手指が入る空隙ｄが形成されるので、衝立パネル５の下回りに容易に手を入れて清掃することができる。更に、支柱部材４は台座部材４０および挟込部材４１の２部材からなるものであるが、嵌合した状態は、略円柱状のシンプルな形状であるので、キッチン用スクリーン１０全体をすっきりとした意匠性に優れたコンパクトなものに構成できる。
【００２４】
続いて図６を参照しながら、キッチン用スクリーン１０の変形例を説明する。共通する部分には共通の符号を付し、共通する部分の説明は割愛する。
図６に示す例は、支持部材４と衝立パネル５との間にパッキン材８を介在させた例である。
パッキン材８はゴム材などの弾性を有する素材からなり、このように、パッキン材８によって、衝立パネル５が支持部材４によって挟持される箇所を覆うものとすれば、パッキン材８は、衝立パネル５の保護および緩衝材として機能する。
よって締結具６に支柱部材４を締結することにより、衝立パネル５が挟込部４０ｂ、４１ｂによって締付られても、パッキン材８の弾性反力が作用するので、衝立パネル５が支柱部材４に当たって傷つくことがなく、良好に締付固定される。
尚、パッキン材８の形状は特に限定されるものではなく、挟込部４０ｂ、４１ｂによって挟み込まれる部分のみに介在させるものとしてもよい。
【００２５】
次に、図７、図８を参照しながら、キッチン用スクリーン１０の別の実施形態について説明する。ここでも、上述の実施形態と共通する部分には共通の符号を付し、共通する部分の説明は割愛する。
ここに示すキッチン用スクリーン１０は支持部材４の構造において、挟込部材４１側の支持段部４１ａの一部が水平方向に突出して形成されており、台座部材４０側に部分的に入り込むよう構成されている点で上述の実施形態とは異なる。
このように、挟込部材４１側の支持段部４１ａの平面面積が大きく形成することにより、施工時に支持段部４１ａ上に仮保持しやすくなる。
またこの実施形態においても、図６の変形例のようにパッキン材８を介在させたものとしてもよい。よってこの場合おいても、パッキン材８を支持段部４１ａ上に仮保持しやすく、施工性に優れたものとすることができる。
ここで大きく形成する支持段部４１ａは挟込部材４１側に形成されたものに限定されず、台座部材４０側の支持段部４０ａを大きく形成し、挟込部材４１側に部分的に入り込むよう構成されたものとしてもよい。
【００２６】
図７、図８に示す分割接合面４０ｄ、４１ｄは、上述の実施形態のように凹凸嵌合されるものではないが、このように分割接合面４０ｄ、４１ｄを互いに突き合わせる構造とすることもできる。もちろん分割接合面４０ｄ、４１ｄが凹凸嵌合されるものとすれば、上述を同様の効果を奏するものとすることができる。
尚、本実施形態のキッチン用スクリーン１０は、台座部材４０側のカウンター２上面への固定方法も上述の実施形態とは異なる。ここに示す固定方法は、締結部材７が桟材２０にねじ込まれるネジタイプのものではなく、ボルトタイプのものとし、桟材２０に形成されたボルト孔２０ａを通じた締結部材７は、下方からナット９で締結されている。台座部材４０は、このようにカウンター２上面に固定されるものとしてもよい。
【００２７】
キッチン用スクリーン１０の構成、形状は図例のものに限定されるものではなく、対面型キッチンカウンター１に採用されるだけでなく、壁付けタイプのカウンターにも採用可能である。またキッチン用スクリーン１は、１つ或いは３つ以上の支柱部材４で衝立パネル５を支持するものとしてもよい。また固定基部４０ｅの貫通孔７ａや周囲に形成される取付孔７ｂも図例のものに限定されず、中心位置を除く周囲に形成された孔に締結部材７を複数ねじ込んでカウンター２上面に固定するものとしてもよい。
【図面の簡単な説明】
【００２８】
【図１】本発明のキッチン用スクリーンが採用されたカウンターの全体斜視図である。
【図２】同キッチン用スクリーンの拡大斜視図である。
【図３】（ａ）〜（ｃ）は同キッチン用スクリーンに採用される支柱部材を示す斜視図である。
【図４】図２におけるＸ−Ｘ線矢視断面図である。
【図５】図３におけるＹ−Ｙ線矢視断面図である。
【図６】本発明のキッチン用スクリーンの変形例であり、図４と同様図である。
【図７】（ａ）〜（ｃ）は本発明の別の実施形態におけるキッチン用スクリーンに採用される支柱部材を示す斜視図である。
【図８】図７に示す本発明の別の実施形態を示した図であり、図４と同様図である。
【符号の説明】
【００２９】
１      キッチンカウンター
２      カウンター（部）
４      支柱部材
４０      台座部材
４１      挟込部材
４０ａ、４１ａ      支持段部
４０ｂ、４１ｂ      挟込部
４０ｃ、４１ｃ      脚部
４０ｄ、４１ｄ      分割接合面
４０ｅ      固定基部
５      衝立パネル
５ａ      下端部
６      締結具
７      締結部材
１０      キッチン用スクリーン
ｄ      空隙
Ｌ      衝立パネルの厚み幅の中心位置
【図１】
2010011953.tif 000003
【図２】
2010011953.tif 000004
【図３】
2010011953.tif 000005
【図４】
2010011953.tif 000006
【図５】
2010011953.tif 000007
【図６】
2010011953.tif 000008
【図７】
2010011953.tif 000009
【図８】
2010011953.tif 000010